【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
塑性領域にまで延伸可能でその延伸後にも弾性的伸縮性を有する合成樹脂から成る均一幅で細長い基材片と、該基材片の両面側に積層された粘着剤層とを有するテープ状部材を備えていて、該テープ状部材を上記基材片が延伸するまで伸長させた時における該基材片の弾性的収縮性を利用して瞼にくびれ部を形成することにより、該瞼に擬似的な整形を施すための化粧用瞼整形テープであって、
該化粧用瞼整形テープは、さらに、上記粘着剤層に対して易剥離性を有する合成樹脂により形成され、上記テープ状部材の各粘着剤層を覆って貼着された一対の剥離シート片を備えていて、長手方向の両端にそれぞれ第１端と第２端とを有しており、
上記一対の剥離シート片は、少なくとも長手方向における中央よりも上記第１端側及び／又は第２端側に、長手方向への引張りにより破断する易破断部をそれぞれ有しており、
上記易破断部は、上記剥離シート片の外表面から厚さ方向の中間までの深さを有して短手の幅方向に延設された溝状を成すと共に、その溝底から上記剥離シート片の外表面に向けて溝幅が徐々に拡開するように形成され、さらに、該溝底が平坦面を成している、
ことを特徴とするもの。
【請求項２】
請求項１に記載の化粧用瞼整形テープであって、
上記剥離シート片が、その長手方向における中央よりも第１端側及び第２端側の双方に、同数の上記易破断部を有しているもの。
【請求項３】
請求項２に記載の化粧用瞼整形テープであって、
上記剥離シート片が、その長手方向の中央に関して上記第１端側及び第２端側の対称位置に、上記易破断部を有しているもの。
【請求項４】
塑性領域にまで延伸可能でその延伸後にも弾性的伸縮性を有する合成樹脂から成る均一幅で細長い基材片と、該基材片の両面側に積層された粘着剤層とを有するテープ状部材を備えていて、該テープ状部材を上記基材片が延伸するまで伸長させた時における該基材片の弾性的収縮性を利用して瞼にくびれ部を形成することにより、該瞼に擬似的な整形を施すための化粧用瞼整形テープであって、
該化粧用瞼整形テープは、さらに、上記粘着剤層に対して易剥離性を有する合成樹脂により形成され、上記テープ状部材の各粘着剤層を覆って貼着された一対の剥離シート片を備えていて、長手方向の両端にそれぞれ第１端と第２端とを有しており、
上記一対の剥離シート片は、少なくとも長手方向における中央よりも上記第１端及び／又は第２端側に、長手方向への引張りにより破断する易破断部をそれぞれ有しており、
上記易破断部は、上記剥離シート片の外表面から厚さ方向の中間までの深さを有して短手の幅方向に延設された溝状を成すと共に、その溝底から上記剥離シート片の外表面に向けて溝幅が徐々に拡開するように形成されており、
複数の上記易破断部が、上記剥離シート片の長手方向に沿って一定のピッチで形成されている、
ことを特徴とするもの。
【請求項５】
請求項４に記載の化粧用瞼整形テープであって、
互いに隣接する上記易破断部の溝底同士が、該溝底から立ち上がった同じ高さの円弧面によって接続されているもの。
【請求項６】
請求項４に記載の化粧用瞼整形テープであって、
上記剥離シート片が、その長手方向における中央よりも第１端側及び第２端側の双方に、同数の上記易破断部を有しているもの。
【請求項７】
請求項６に記載の化粧用瞼整形テープであって、
上記剥離シート片が、その長手方向の中央に関して上記第１端側及び第２端側の対称位置に、上記易破断部を有しているもの。
【請求項８】
塑性領域にまで延伸可能でその延伸後にも弾性的伸縮性を有する合成樹脂から成る均一幅で細長い基材片と、該基材片の両面側に積層された粘着剤層とを有するテープ状部材を備えていて、該テープ状部材を上記基材片が延伸するまで伸長させた時における該基材片の弾性的収縮性を利用して瞼にくびれ部を形成することにより、該瞼に擬似的な整形を施すための化粧用瞼整形テープであって、
該化粧用瞼整形テープは、さらに、上記粘着剤層に対して易剥離性を有する合成樹脂により形成され、上記テープ状部材の各粘着剤層を覆って貼着された一対の剥離シート片を備えていて、長手方向の両端にそれぞれ第１端と第２端とを有しており、
上記一対の剥離シート片は、長手方向における中央よりも上記第１端及び／又は第２端側に、長手方向への引張りにより破断する第１易破断部をそれぞれ有すると共に、該長手方向における中央に、同じく長手方向への引張りにより破断する第２易破断部をそれぞれ有しており、
上記第１及び第２易破断部は、上記剥離シート片の外表面から厚さ方向の中間までの深さを有して短手の幅方向に延設された溝状を成すと共に、それらの溝底から上記剥離シート片の外表面に向けて溝幅が徐々に拡開するように形成されており、
上記第２易破断部の深さが上記第１易破断部よりも大きく形成されている、
ことを特徴とするもの。
【請求項９】
請求項８に記載の化粧用瞼整形テープであって、
上記第１易破断部の溝底が平坦面を成していて、上記第２易破断部の溝底が鋭角を成しているもの。
【請求項１０】
請求項８に記載の化粧用瞼整形テープであって、
上記一対の剥離シート片には、それらの長手方向における第２易破断部よりも第１端側及び第２端側の双方に、複数の上記第１易破断部が、上記剥離シート片の長手方向に沿って一定のピッチでそれぞれ形成されているもの。
【請求項１１】
請求項１０に記載の化粧用瞼整形テープであって、
互いに隣接する上記第１易破断部の溝底同士が、該溝底から立ち上がった同じ高さの円弧面によって接続されており、
上記第２易破断部とその両側に隣接する一対の第１易破断部との間に位置する外表面には、平坦面から成る平坦部がそれぞれ形成されており、上記円弧面の頂部における剥離シート片の厚さと上記平坦部における剥離シート片の厚さとが、互いに等しく形成されているもの。
【手続補正２】
【補正対象書類名】明細書
【補正対象項目名】０００１
【補正方法】変更
【補正の内容】
【０００１】
本発明は、テープ状部材を構成する基材片を、塑性領域にまで延伸可能でその延伸後にも弾性的伸縮性を有する合成樹脂によって形成し、該テープ状部材を伸長して上記基材片を延伸させた時における該基材片の弾性的伸縮性を利用して、上瞼に疑似的な二重瞼の襞を形成したりするなど、瞼に擬似的な整形を施すための化粧用瞼整形テープに関するものである。
【手続補正３】
【補正対象書類名】明細書
【補正対象項目名】０００２
【補正方法】変更
【補正の内容】
【０００２】
外科的な手術を伴うことなく、上瞼に擬似的な二重瞼を形成する二重瞼形成用化粧品としては、従来から、溶液を上瞼の皮膚上に塗布する溶液タイプ（特許文献１〜３）と粘着テープを上瞼の皮膚上に貼付するテープタイプ（特許文献４〜８）とが知られていた。
そして、これら溶液タイプ及びテープタイプのものは、二重瞼が形成される機序により、主として、両面粘着テープや接着剤等で上瞼の皮膚同士を折り畳んだ状態で接着させることにより二重瞼の襞を形成する方式（接着方式）と、溶液を上瞼の皮膚上に塗布して乾燥させたり、粘着テープを上瞼の皮膚上に貼付けたり等することにより、上瞼の皮膚上に硬質な被膜を形成し、上瞼を開いた際に、その被膜の上縁で上瞼の皮膚が折り返されて二重瞼の襞が形成される方式（シャッター方式）とに分類することができる。
しかしながら、これら従来の二重瞼形成用化粧品は、溶液又はテープによる接着や被膜を利用して無理に二重瞼の襞を形成するものであるため、形成される二重瞼が不自然になりがちであったり、特に上瞼を閉じた際に使用しているのが目立ち易かったり、使用者が引きつり感などの違和感を覚え易い等の問題点があった。
【手続補正４】
【補正対象書類名】明細書
【補正対象項目名】０００７
【補正方法】変更
【補正の内容】
【０００７】
上記課題を解決するため、本発明は、塑性領域にまで延伸可能でその延伸後にも弾性的伸縮性を有する合成樹脂から成る均一幅で細長い基材片と、該基材片の両面側に積層された粘着剤層とを有するテープ状部材を備えていて、該テープ状部材を上記基材片が延伸するまで伸長させた時における該基材片の弾性的収縮性を利用して瞼にくびれ部を形成することにより、該瞼に擬似的な整形を施すための化粧用瞼整形テープであって、該化粧用瞼整形テープは、さらに、上記粘着剤層に対して易剥離性を有する合成樹脂により形成され、上記テープ状部材の各粘着剤層を覆って貼着された一対の剥離シート片を備えていて、長手方向の両端にそれぞれ第１端と第２端とを有しており、上記一対の剥離シート片は、少なくとも長手方向における中央よりも上記第１端側及び／又は第２端側に、長手方向への引張りにより破断する易破断部をそれぞれ有しており、上記易破断部は、上記剥離シート片の外表面から厚さ方向の中間までの深さを有して短手の幅方向に延設された溝状を成すと共に、その溝底から上記剥離シート片の外表面に向けて溝幅が徐々に拡開するように形成され、さらに、該溝底が平坦面を成していることを特徴としている。
【手続補正５】
【補正対象書類名】明細書
【補正対象項目名】０００９
【補正方法】変更
【補正の内容】
【０００９】
したがって、上記化粧用瞼整形テープを瞼に適用するにあたって、例えば目尻側又は目頭側等においてテープ状部材の接着性を改善させたい場合には、破断させる易破断部からテープ状部材の端までの長さが長い方を接着性を改善したい方にして、該易破断部で剥離シート片を破断させると共に、テープ状部材を所定の長さに伸長させて基材片を塑性領域へと延伸させる。そして、該テープ状部材を所定の長さに伸長させたままの状態（すなわち、テープ状部材を引張ってピンと張ったままの状態）で、それを瞼におけるくびれ部を形成したい部分（ライン）に押し当てて粘着剤層で貼り付け、該テープ状部材から引張り力と瞼への押付け力を除荷すると、上記基材片の延伸後の弾性的収縮力が瞼に作用して該テープ状部材（すなわち基材片）が瞼にくい込んだ状態となり該瞼にくびれ部が形成される。その結果、この瞼のくびれ部を利用して上瞼に二重瞼のひだを形成したり、下瞼に膨らみ（所謂、涙袋）を形成したり等、瞼に化粧的な整形を施すことができる。そのとき、テープ状部材における破断させた易破断部から端までの長さが長い方においては、基材片の延伸率がより小さくて粘着剤層がより厚い部分を残すことができるため、瞼の皮膚への接着性を改善することが可能となる。
【手続補正６】
【補正対象書類名】明細書
【補正対象項目名】００１０
【補正方法】変更
【補正の内容】
【００１０】
この化粧用瞼整形テープにおいては、上記剥離シート片が、その長手方向における中央よりも第１端側及び第２端側の双方に、同数の上記易破断部を有していてもよく、そのとき、上記剥離シート片が、その長手方向の中央に関して上記第１端側及び第２端側の対称位置に、上記易破断部を有していてもよい。
【手続補正７】
【補正対象書類名】明細書
【補正対象項目名】００１１
【補正方法】変更
【補正の内容】
【００１１】
また、本発明によれば、塑性領域にまで延伸可能でその延伸後にも弾性的伸縮性を有する合成樹脂から成る均一幅で細長い基材片と、該基材片の両面側に積層された粘着剤層とを有するテープ状部材を備えていて、該テープ状部材を上記基材片が延伸するまで伸長させた時における該基材片の弾性的収縮性を利用して瞼にくびれ部を形成することにより、該瞼に擬似的な整形を施すための化粧用瞼整形テープであって、該化粧用瞼整形テープは、さらに、上記粘着剤層に対して易剥離性を有する合成樹脂により形成され、上記テープ状部材の各粘着剤層を覆って貼着された一対の剥離シート片を備えていて、長手方向の両端にそれぞれ第１端と第２端とを有しており、上記一対の剥離シート片は、少なくとも長手方向における中央よりも上記第１端及び／又は第２端側に、長手方向への引張りにより破断する易破断部をそれぞれ有しており、上記易破断部は、上記剥離シート片の外表面から厚さ方向の中間までの深さを有して短手の幅方向に延設された溝状を成すと共に、その溝底から上記剥離シート片の外表面に向けて溝幅が徐々に拡開するように形成されており、複数の上記易破断部が、上記剥離シート片の長手方向に沿って一定のピッチで形成されていることを特徴としている。この化粧用瞼整形テープにおいては、互いに隣接する上記易破断部の溝底同士が、該溝底から立ち上がった同じ高さの円弧面によって接続されていてもよい。また、本発明に係る化粧用瞼整形テープにおいては、上記剥離シート片が、その長手方向における中央よりも第１端側及び第２端側の双方に、同数の上記易破断部を有していてもよく、そのとき、上記剥離シート片が、その長手方向の中央に関して上記第１端側及び第２端側の対称位置に、上記易破断部を有していてもよい。
【手続補正８】
【補正対象書類名】明細書
【補正対象項目名】００１２
【補正方法】変更
【補正の内容】
【００１２】
さらに、本発明によれば、塑性領域にまで延伸可能でその延伸後にも弾性的伸縮性を有する合成樹脂から成る均一幅で細長い基材片と、該基材片の両面側に積層された粘着剤層とを有するテープ状部材を備えていて、該テープ状部材を上記基材片が延伸するまで伸長させた時における該基材片の弾性的収縮性を利用して瞼にくびれ部を形成することにより、該瞼に擬似的な整形を施すための化粧用瞼整形テープであって、該化粧用瞼整形テープは、さらに、上記粘着剤層に対して易剥離性を有する合成樹脂により形成され、上記テープ状部材の各粘着剤層を覆って貼着された一対の剥離シート片を備えていて、長手方向の両端にそれぞれ第１端と第２端とを有しており、上記一対の剥離シート片は、少なくとも長手方向における中央よりも上記第１端及び／又は第２端側に、長手方向への引張りにより破断する第１易破断部をそれぞれ有すると共に、該長手方向における中央に、同じく長手方向への引張りにより破断する第２易破断部をそれぞれ有しており、上記第１及び第２易破断部は、上記剥離シート片の外表面から厚さ方向の中間までの深さを有して短手の幅方向に延設された溝状を成すと共に、それらの溝底から上記剥離シート片の外表面に向けて溝幅が徐々に拡開するように形成されており、上記第２易破断部の深さが上記第１易破断部よりも大きく形成されていることを特徴としている。また、この化粧用瞼整形テープにおいて、好ましくは、上記第１易破断部の溝底が平坦面を成していて、上記第２易破断部の溝底が鋭角を成していてもよい。また、上記一対の剥離シート片には、それらの長手方向における第２易破断部よりも第１端側及び第２端側の双方に、複数の上記第１易破断部が、上記剥離シート片の長手方向に沿って一定のピッチでそれぞれ形成されていてもよい。また、好ましくは、互いに隣接する上記第１易破断部の溝底同士が、該溝底から立ち上がった同じ高さの円弧面によって接続されており、上記第２易破断部とその両側に隣接する一対の第１易破断部との間に位置する外表面には、平坦面から成る平坦部がそれぞれ形成されており、上記円弧面の頂部における剥離シート片の厚さと上記平坦部における剥離シート片の厚さとが、互いに等しく形成されている。
【手続補正９】
【補正対象書類名】明細書
【補正対象項目名】００２４
【補正方法】変更
【補正の内容】
【００２４】
一方、上記第２易破断部７も、その溝底７１から上記剥離シート片５の外表面に向けて溝幅が徐々に拡開するように形成されており、上述のように、一対の剥離シート片５，５の軸ｌ方向における中央Ｏに、互いに対向させて設けられている。また、該第２易破断部７は、その溝底７１が大凡鋭角に形成されており、上記第１易破断部６の深さｄ１よりも大きい深さｄ２を有している。そして、該第２易破断部７の互いに対向する側壁も、溝内側に凸を成した円弧面７２によって形成されている。該第２易破断部７とその両側で隣接する上記第１易破断部６，６との間には、該第１易破断部６のピッチｐと同程度の軸ｌ方向長さを有していて、上記第１易破断部６の溝底６１と平行を成す平坦部８がそれぞれ設けられており、該平坦部８の軸ｌ方向の両端が、第１易破断部６の円弧面６２及び第２易破断部７の円弧面７２と滑らかにそれぞれ連なっている。また、上記剥離シート片５の粘着剤層４に貼着された内表面から円弧面６２の頂部までの距離と、該内表面から上記平坦部８までの距離とは等しくなっており、この距離が該剥離シート片５の厚さｔ３となっている。
【手続補正１０】
【補正対象書類名】明細書
【補正対象項目名】００２６
【補正方法】変更
【補正の内容】
【００２６】
以下に、本発明に係る化粧用瞼整形テープとしての上記二重瞼形成用テープ１を使用した二重瞼の形成方法を、図７〜図１３に基づいて説明する。なお、ここでは、中心Ｏよりも第１端１ａ側において第１易破断部６を破断する例を示すこととする。
まず、図示は省略するが、二重にする上瞼９０の油分等を拭き取った上で、プッシャー等を使用して二重瞼のひだ９２を形成する位置を確認する。次いで、図７に示すように、二重瞼形成用テープ１における剥離シート片５を破断したい位置にある第１易破断部６近傍の両側を、一対の剥離シート片５，５の上から指先で摘まんで引張ることにより、該第１易破断部６で剥離シート片５を破断させる。
【手続補正１１】
【補正対象書類名】明細書
【補正対象項目名】００２７
【補正方法】変更
【補正の内容】
【００２７】
このとき、図７に示すように、第２易破断部７で剥離シート片５が破断してしまうのを防止するため、第２易破断部７を指先で押さえることが望ましく、その際、第２易破断部７の両側に形成された平坦部８が目印となる。また、破断したい位置においてできるだけ正確に破断させるため、破断したい位置にある第１易破断部６から両指先までの距離はできるだけ均等で短いことが望ましい。
このようにして剥離シート片５を破断させると、指先間では、テープ状部材２の粘着剤層４から剥離シート片５が剥離すると共に該テープ状部材２が伸ばされて一部露出し、通常、それに伴って当該部分の基材片３も塑性領域に移行されて延伸された状態となるが、弾性領域が広い場合には、当該部分の基材片３が延伸されるようにテープ状部材２を十分に伸長させることが望ましい。
【手続補正１２】
【補正対象書類名】明細書
【補正対象項目名】００３２
【補正方法】変更
【補正の内容】
【００３２】
なお、このようにして、テープ状部材２の基材片３の延伸後の弾性的収縮性により、上瞼９０にくびれ部９１が形成された状態においては、該テープ状部材２が、図１１に示すように、くびれ部９１の底部に貼り付いた状態となっている。
そして、図１２及び図１３に示すように上瞼９０を引き上げて目を開けると、上記くびれ部９１で上瞼９０が自然に折り返されて二重瞼のひだ９２が形成される。
なお、上瞼９０に貼り付けたテープ状部材２のうち不必要な余剰部分は、ハサミやカッター等により適当な位置（図１３中×で示した位置）で切り取ればよい。この後、図示しないプッシャー等で二重瞼の形を整えてもよい。
【手続補正１３】
【補正対象書類名】明細書
【補正対象項目名】００３３
【補正方法】変更
【補正の内容】
【００３３】
さらに、上記二重瞼形成用テープ１は、特許第３２７７１８０号公報等に開示された二重瞼形成用テープのように、中央Ｏで剥離シート片５，５を破断させて使用することも可能である。その場合、図１４に示すように、指先間にテープ１の中央Ｏを位置させて必要な間隔をあけた状態で、該テープ１の両端１ａ，１ｂ部を把持して、該テープ１を両軸ｌ方向へと引張ると、中央Ｏの第２易破断部７で剥離シート片５，５が破断する。このとき、第２易破断部７は、第１易破断部６よりも深い溝状を成しており、しかもその溝底７１がほぼ鋭角に形成されているため、該第１易破断部６よりも破断し易い構成を有している。したがって、テープ１を両軸ｌ方向に引張ったときに、第２易破断部７を第１易破断部６に優先して破断させることができる。また、上述のように、第２易破断部７の両側には平坦部８，８が形成されているため、テープ１の把持や操作にあたり該平坦部８，８を目印として第２易破断部７の位置を目視で容易に確認することができる。